(57)【要約】【課題】隣接する２つのカセットが同時に引き出されることを確実に防ぐことができるカセット移動制限部材及び貨幣処理装置を提供すること。【解決手段】貨幣を収容する第１の突起Ｐ１を有する第１のカセット及び第２の突起Ｐ２を有する第２のカセットと、カセット移動制限部材２０とを備える貨幣処理装置のカセット移動制限部材２０は、突起Ｐ１と突起Ｐ２とを同時に収容可能な滞留空間２１ｓと、突起Ｐ１及び突起Ｐ２が同時に通過することを不可能にしつつ個別に通過することを可能にする幅を有する通過溝２１ｒとが形成された収容部材２１と、両方とも滞留空間２１ｓにある突起Ｐ１及び突起Ｐ２の一方が通過溝２１ｒを通過することを許し、突起Ｐ１及び突起Ｐ２のいずれか一方が滞留空間２１ｓを出たときに滞留空間２１ｓに残った方の突起が通過溝２１ｒを通過することを禁止する遮断部材２３とを備える。【選択図】図６
2007219616.tif 000002
【特許請求の範囲】
【請求項１】
同一方向に略水平に往復移動が可能な２つのカセットの、第１のカセット及び該第１のカセットに隣接する第２のカセットの移動を制限する部材であって；
前記第１のカセットに固着された第１の突起と前記第２のカセットに固着された第２の突起とを同時に収容可能な滞留空間と、該滞留空間と連通し、前記第１の突起及び前記第２の突起が同時に通過することを不可能にしつつ個別に通過することを可能にする幅を有する通過溝とが形成された収容部材と；
前記第１の突起及び前記第２の突起が前記滞留空間にあるときに前記第１の突起及び前記第２の突起の一方が前記通過溝を通過することを許し、前記第１の突起及び前記第２の突起のいずれか一方が前記滞留空間を出たときに前記滞留空間に残った方の突起が前記通過溝を通過することを禁止する遮断部材とを備える；
カセット移動制限部材。
【請求項２】
前記滞留空間が、前記第１の突起の軌道及び前記第２の突起の軌道が進行方向に対して上下に異なる軌道を持つように配設された前記第１の突起及び前記第２の突起を同時に収容するように形成され；
前記収容部材が、前記第１の突起及び前記第２の突起の進行方向に対して上下に移動可能に構成された；
請求項１に記載のカセット移動制限部材。
【請求項３】
前記遮断部材が、前記第１の突起及び前記第２の突起のいずれか一方を導入し導出する凹部が形成されると共に、前記第１の突起又は前記第２の突起が前記凹部に収容されつつ前記通過溝を通過するように、前記収容部材に揺動可能に取り付けられて構成された；
請求項１又は請求項２に記載のカセット移動制限部材。
【請求項４】
前記遮断部材の前記凹部が前記滞留空間側に開口している状態又は前記凹部が前記滞留空間側とは反対側に開口している状態に保持する状態保持手段を備える；
請求項３に記載のカセット移動制限部材。
【請求項５】
貨幣を収容し第１の突起を有する第１のカセットと；
貨幣を収容し第２の突起を有する、前記第１のカセットとは異なる第２のカセットと；
請求項１乃至請求項４のいずれか１項に記載のカセット移動制限部材とを備える；
貨幣処理装置。
【発明の詳細な説明】
【技術分野】
【０００１】
本発明はカセット移動制限部材及び貨幣処理装置に関し、特に貨幣処理装置が備える隣接した２台のカセットを同時に引き出すことを防止するカセット移動制限部材及びこのカセット移動制限部材を備える貨幣処理装置に関する。
【背景技術】
【０００２】
鉄道の乗車券や飲食店の食券等を自動で発券する券売機、あるいは両替機等の貨幣処理装置は、入金された貨幣を保留する保留部や釣銭を収容しておく容器としてのカセットを筐体内に備えているのが一般的である。このカセットは、メンテナンス時やエラー発生時等に点検しやすいように、筐体から引き出せるようになっている。また、カセットは、貨幣処理装置の処理能力の多様化等の要請から貯留可能な貨幣の収納量を増加させる傾向にあり、貨幣の収納量の増加に伴ってカセットの重量は思いのほか大きくなる。それゆえ、大きな重量となった複数のカセットが筐体から同時に引き出されると、筐体に片持ち状の荷重が掛かり、筐体に過大な応力が発生することとなる。このような事情から、筐体に過大な応力を発生させるような重量を有するカセットが引き出される数を最小限にとどめるのが好ましい。
【０００３】
大きな重量のカセットが引き出される数を最小限にとどめるために、典型的には、１台のカセットが引き出された状態でさらに隣接した別のカセットが引き出されることを阻止するために、貨幣処理装置には２台のカセットが引き出されるのを防止する引出防止金具が取り付けられるのが一般的である。図８に従来の引出防止金具９０を示す。引出防止金具９０は、Ｌ字型の可動金具９１と、可動金具９１を揺動可能に支持する固定金具９２とを有する。そして、２台のカセットの各々には、互いに対向する側面の適切な位置にピンＰａ、Ｐｂを取り付けておく。２台のカセットが筐体に収納された状態で、ピンＰａ、Ｐｂが引出防止金具９０の内側（図８中では左側）に位置するようにしつつ、可動金具９１を外側９１ａが垂直になるようにセットする（図８（ａ）参照）。カセットの１台が引き出されると、引き出される際にカセットに設けられたピンＰａが可動金具９１をその内側９１ｂが垂直になるように動かす（図８（ｂ）参照）。すると、残りのカセットに設けられたピンＰｂが可動金具９１の内側９１ｂによって止められ、残りのカセットが引き出されないようになる。
【発明の開示】
【発明が解決しようとする課題】
【０００４】
しかしながら従来の引出防止金具は、その構造上、１台のカセットが引き出された後に残りのカセットが引き出されることは阻止できるが、２台のカセットが同時に又は僅かにずれた状態で引き出された場合は２台のカセットが引き出された状態になってしまうことを阻止することができず、貨幣処理装置の筐体に過大な負荷が掛かることを避けるためには、操作する者の意識に頼らざるを得なかった。
【０００５】
本発明は上述の課題に鑑み、隣接する２つのカセットが同時に引き出されることを確実に防ぐことができるカセット移動制限部材及びこのカセット移動制限部材を備える貨幣処理装置を提供することを目的とする。
【課題を解決するための手段】
【０００６】
上記目的を達成するために、請求項１に記載の発明に係るカセット移動制限部材は、例えば図３及び図６に示すように、同一方向に略水平に往復移動が可能な２つのカセット１３、１４の、第１のカセット１３及び第１のカセット１３に隣接する第２のカセット１４の移動を制限する部材であって；第１のカセット１３に固着された第１の突起Ｐ１と第２のカセット１４に固着された第２の突起Ｐ２とを同時に収容可能な滞留空間２１ｓと、滞留空間２１ｓと連通し、第１の突起Ｐ１及び第２の突起Ｐ２が同時に通過することを不可能にしつつ個別に通過することを可能にする幅を有する通過溝２１ｒとが形成された収容部材２１と；第１の突起Ｐ１及び第２の突起Ｐ２が滞留空間２１ｓにあるときに第１の突起Ｐ１及び第２の突起Ｐ２の一方が通過溝２１ｒを通過することを許し、第１の突起Ｐ１及び第２の突起Ｐ２のいずれか一方が滞留空間２１ｓを出たときに滞留空間２１ｓに残った方の突起が通過溝２１ｒを通過することを禁止する遮断部材２３とを備える。
【０００７】
このように構成すると、第１の突起及び第２の突起が同時に通過することを不可能にしつつ個別に通過することを可能にする幅を有する通過溝が形成された収容部材を備えるので、同じタイミングで隣接する２つのカセットが引き出されることを防ぐことができる。また、第１の突起及び第２の突起のいずれか一方が滞留空間を出たときに滞留空間に残った方の突起が通過溝を通過することを禁止する遮断部材を備えるので、一方のカセットが既に引き出されているときに他方のカセットが引き出されることを防ぐことができる。以上より、確実に、隣接する２つのカセットが同時に引き出されることを防ぐことができる。
【０００８】
また、請求項２に記載の発明に係るカセット移動制限部材は、例えば図６に示すように、請求項１に記載のカセット移動制限部材２０において、滞留空間２１ｓが、第１の突起Ｐ１の軌道Ｒ１及び第２の突起Ｐ２の軌道Ｒ２が進行方向に対して上下に異なる軌道を持つように配設された第１の突起Ｐ１及び第２の突起Ｐ２を同時に収容するように形成され；収容部材２１が、第１の突起Ｐ１及び第２の突起Ｐ２の進行方向に対して上下に移動可能に構成されている。
【０００９】
このように構成すると、収容部材が第１の突起及び第２の突起の進行方向に対して上下に移動可能なので、カセットに固着されて上下に異なる軌道を持つ第１の突起及び第２の突起がスムーズに通過溝を通過することができる。
【００１０】
また、請求項３に記載の発明に係るカセット移動制限部材は、例えば図６に示すように、請求項１又は請求項２に記載のカセット移動制限部材２０において、遮断部材２３が、第１の突起Ｐ１及び第２の突起Ｐ２のいずれか一方を導入し導出する凹部２３ｈが形成されると共に、第１の突起Ｐ１又は第２の突起Ｐ２が凹部２３ｈに収容されつつ通過溝２１ｒを通過するように、収容部材２１に揺動可能に取り付けられて構成されている。
【００１１】
このように構成すると、通過溝を通過する突起のみが凹部に収容されて通過溝を通過することができる一方で、通過溝を通過しない方の突起は遮断部材によって通過溝への侵入を遮断されることとなり、一方のカセットが既に引き出されているときに他方のカセットが引き出されることを確実に防ぐことができる。
【００１２】
また、請求項４に記載の発明に係るカセット移動制限部材は、例えば図６に示すように、請求項３に記載のカセット移動制限部材２０において、遮断部材２３の凹部２３ｈが滞留空間２１ｓ側に開口している状態又は凹部２３ｈが滞留空間２１ｓ側とは反対側に開口している状態に保持する状態保持手段２３ａ、２３ｂ、２５を備える。
【００１３】
このように構成すると、遮断部材が自重や何らかの要因で発生した振動によって意図しない方向に揺動することを防ぐことができ、一方のカセットが既に引き出されているときに他方のカセットが引き出されることをより確実に防ぐことができる。
【００１４】
上記目的を達成するために、請求項５に記載の発明に係る貨幣処理装置は、例えば図３に示すように、貨幣を収容し第１の突起Ｐ１を有する第１のカセット１３と；貨幣を収容し第２の突起Ｐ２を有する、第１のカセット１３とは異なる第２のカセット１４と；請求項１乃至請求項４のいずれか１項に記載のカセット移動制限部材２０とを備える。
【００１５】
このように構成すると、隣接する２つのカセットが同時に引き出されることがなく、筐体に過大な応力が掛からない貨幣処理装置となる。
【発明の効果】
【００１６】
本発明によれば、第１の突起及び第２の突起が同時に通過することを不可能にしつつ個別に通過することを可能にする幅を有する通過溝が形成された収容部材を備えるので、同じタイミングで隣接する２つのカセットが引き出されることを防ぐことができる。また、第１の突起及び第２の突起のいずれか一方が滞留空間を出たときに滞留空間に残った方の突起が通過溝を通過することを禁止する遮断部材を備えるので、一方のカセットが既に引き出されているときに他方のカセットが引き出されることを防ぐことができる。以上より、確実に、隣接する２つのカセットが同時に引き出されることを防ぐことができる。
【発明を実施するための最良の形態】
【００１７】
以下、図面を参照して、本発明の実施の形態について説明する。なお、各図において、互いに同一又は相当する部材には同一あるいは類似の符号を付し、重複した説明は省略する。
【００１８】
まず図１〜図３を参照して、本発明の実施の形態に係る貨幣処理装置としての券売機１０を説明する。券売機１０は、典型的には、駅構内のきっぷ売場に設置されている、鉄道の乗車券を自動で販売する機器である。図１は券売機１０の正面図、図２は券売機１０の背面図、図３は券売機１０の右側面図である。
【００１９】
図１の正面図に示す面は、乗車券の購入者が操作をする接客面１０Ａである。接客面１０Ａには、タッチパネルや押しボタンが配設された表示操作部１１と、貨幣を受け入れ、釣銭や払い戻し金を放出する貨幣受渡部１２とが設けられている。表示操作部１１は、購入者による所望の乗車券を選択する操作を受け付け、さらに、例えば発売中、発売中止などの情報を提供することができるように構成されている。貨幣受渡部１２は、硬貨を受け入れる硬貨投入口、紙幣を受け入れて釣銭や払い戻し金の紙幣を放出する紙幣投入放出口、カードを受け入れて精算処理後のカードを放出するカード投入放出口、釣銭や払い戻し金の硬貨を放出する硬貨放出口、硬貨放出口から放出された硬貨を受ける硬貨受皿、購入した乗車券を放出する放出口を含んで構成されている。なお、カードとはカード状の媒体全般をいい、例えば、乗車券や回数券等に用いられるエドモンソン券や大型券（８５ｍｍ券）、定期券やプリペードカード等のＰＥＴ券、ＩＣカード、クレジットカードなどがある。
【００２０】
図２の背面図に示す面は、駅係員が操作をする係員操作面１０Ｂである。なお、図２では、説明の便宜のために開閉扉（不図示）を開けた状態を示している。また、図２の紙面上方が実際に設置された券売機１０の上方に相当する。係員操作面１０Ｂからは、開閉扉（不図示）を開けた状態で、硬貨処理装置１３、紙幣処理装置１４、カード処理装置１５、発券装置１６を点検・保守できるようになっている。
【００２１】
硬貨処理装置１３は、貨幣受渡部１２（図１参照）の硬貨投入口から投入された硬貨を導入し、識別及び計数した後に内部に収納する装置であり、必要に応じて硬貨放出口に硬貨を導出できるように構成されている。紙幣処理装置１４は、貨幣受渡部１２（図１参照）の紙幣投入放出口に挿入された紙幣を導入し、識別及び計数した後に内部に収納する装置であり、必要に応じて紙幣投入放出口に紙幣を導出できるように構成されている。カード処理装置１５は、貨幣受渡部１２（図１参照）のカード投入放出口に挿入されたカードを導入し、識別及び残額を検出して精算処理をした後に、カード投入放出口にカードを導出できるように構成されている。発券装置１６は、印刷部、磁気処理部、搬送部等を含んで構成されており、購入者が購入した乗車券の情報を、乗車券の一方の面に磁気で記憶させ、他方の面に視認できるように印刷して放出口に導出できるように構成されている。
【００２２】
また、係員操作面１０Ｂには、表示操作部１１（図１参照）とほぼ同様にタッチパネルや押しボタンが配設された、係員操作部１７が設けられている。また、係員操作面１０Ｂからは、硬貨処理装置１３から回収した硬貨を貯留する金庫部１８を引き出すことができるようになっている。硬貨処理装置１３、紙幣処理装置１４、カード処理装置１５、発券装置１６、金庫部１８は、筐体１９に収容されている。また、係員操作部１７や表示操作部１１（図１参照）からの入力情報を処理するコンピュータ（不図示）も筐体１９に収容されている。
【００２３】
硬貨処理装置１３及び紙幣処理装置１４は、係員操作面１０Ｂから見て、共に高さ方向及び奥行きが長い直方体を基本形状として、接客面１０Ａ（図１参照）側が硬貨受渡部１２（図１参照）に対応するように張り出した形状に形成されている。硬貨処理装置１３及び紙幣処理装置１４は、その形状に着目すると箱（カセット）状であることから、以下の説明では硬貨処理装置１３を「硬貨カセット１３」と、紙幣処理装置１４を「紙幣カセット１４」と呼ぶこととする。硬貨カセット１３は本発明の第１のカセットに、紙幣カセット１４は本発明の第２のカセットに、それぞれ相当する。硬貨カセット１３及び紙幣カセット１４は、典型的には共に金属で形成されている。硬貨カセット１３と紙幣カセット１４とは、底面がほぼ同じ高さに揃い、隣接して配設されている。なお、典型的にはカード処理装置１５及び発券装置１６も箱（カセット）状に形成されている。
【００２４】
硬貨カセット１３の、紙幣カセット１４に対向する面の下部には、紙幣カセット１４の方に向かって延びる第１の突起としての棒状のピンＰ１が取り付けられて固定されている。他方、紙幣カセット１４の、硬貨カセット１３に対向する面の下部には、硬貨カセット１３の方に向かって延びる第２の突起としての棒状のピンＰ２が取り付けられて固定されている。硬貨カセット１３と紙幣カセット１４との間には、両カセット１３、１４の底面とほぼ同じ高さに、両カセット１３、１４の奥行きの方向に長いフレーム１９ｆが設けられている。フレーム１９ｆの上には、カセット移動制限部材としての同時引出防止部材２０がビスで取り付けられている。上述のピンＰ１とピンＰ２とは、およそ同時引出防止部材２０の高さの範囲内において、異なる高さで取り付けられている。なお、ピンＰ１、Ｐ２は、典型的には円柱状に形成されているが、角柱状に形成されていてもよい。しかしながら、同時引出防止部材２０へのピンＰ１、Ｐ２の出し入れを円滑に行わせるという観点から、円柱状に形成されていることが好ましい。また、ピンＰ１、Ｐ２は、同時引出防止部材２０への出し入れの衝撃に耐えうるように、硬貨カセット１３、紙幣カセット１４に強固に固定されている。
【００２５】
図３に示すように、硬貨カセット１３は、ほぼ水平の往復移動により係員操作面１０Ｂ側から引き出すことができるように構成されている。同様に、紙幣カセット１４は、ほぼ水平の往復移動により係員操作面１０Ｂ側から引き出すことができるように構成されている。硬貨カセット１３及び紙幣カセット１４が筐体１９から引き出すことができるように構成されているのは、点検・保守の容易のためである。硬貨カセット１３及び紙幣カセット１４には、引き出されたときに筐体１９から脱落しないようにするためのストッパ（不図示）が設けられている。なお、典型的にはカード処理装置１５及び発券装置１６も硬貨カセット１３等と同様、点検・保守の容易のために、ほぼ水平方向の往復移動により係員操作面１０Ｂ側から引き出すことができるように構成されている。
【００２６】
図３を参照して、上述のピンＰ１及びピンＰ２と、同時引出防止部材２０との取付位置を説明すると、まず、ピンＰ１及びピンＰ２は、各カセット１３、１４に対し、係員操作面１０Ｂから遠い奥側にそれぞれ取り付けられている。また、ピンＰ１及びピンＰ２が共に同時引出防止部材２０に形成された滞留空間２１ｓに収容される高さに設けられている。また、同時引出防止部材２０は、両カセット１３、１４が筐体１９に収容されたときに、各カセット１３、１４に対し上記の位置に取り付けられたピンＰ１及びピンＰ２のいずれもが滞留空間２１ｓに収容される位置に取り付けられている。このような位置にピンＰ１、ピンＰ２、及び同時引出防止部材２０が取り付けられていることにより、同時引出防止部材２０が係員によって手動で操作されることを防止している。
【００２７】
ところで、硬貨カセット１３の標準的な重量は、それ自体でおよそ６０ｋｇ以上、内部で処理される硬貨の重量を含めるとおよそ１００ｋｇ以上となる。紙幣カセット１４の標準的な重量は、それ自体でおよそ４０ｋｇ以上、内部で処理される紙幣の重量を含めるとおよそ４２ｋｇ以上となる。図３を参照して分かるように、各カセット１３、１４が筐体１９から引き出されると、筐体１９に片持ち状の荷重が掛かる。各カセット１３、１４は上記のような重量であるところ、両カセット１３、１４が同時に引き出されると筐体１９に過大な応力が発生することとなる。筐体１９に発生する応力を極力小さくするという観点からすれば、両カセット１３、１４が同時に引き出された状態になることを回避するのが好ましい。券売機１０が備える同時引出防止部材２０は、両カセット１３、１４が同時に引き出された状態になることを防止する部材である。以下、同時引出防止部材２０の詳細を説明する。
【００２８】
図４に、同時引出防止部材２０の分解斜視図を示す。同時引出防止部材２０は、硬貨カセット１３（図３参照）に設けられたピンＰ１（図３参照）及び紙幣カセット１４（図３参照）に設けられたピンＰ２（図３参照）を収容可能な収容部材としての収納板２１と、収納板２１を支える取付基台２２を構成するブロック部材２２Ａ及び板金２２Ｂと、ピンＰ１、Ｐ２の移動を遮る遮断部材２３と、遮断部材２３を収納板２１に取り付ける遮断部材押さえ２４と、遮断部材２３が揺動した際の状態を保持する状態保持手段を構成するボールプランジャー２５とを備えている。
図５に上記部材を組み立てた同時引出防止部材２０の斜視図を示す。
【００２９】
図６に示す同時引出防止部材２０の側面図及び図４の分解斜視図を参照して、同時引出防止部材２０を構成する各部材を説明する。なお、図６の紙面上方が実際に設置されたときの上方に相当する。
【００３０】
収納板２１は、板状の部材がＵ字形に形成された形状を有しており、内部に空間が形成されて構成されている。内部に形成された空間は、Ｕ字の上部が狭くなっている。別の表現を用いると、収納板２１の外側の輪郭がＵ字状となっており、内側の輪郭がボトルのような形状で、その開口部が広がった形状となっている。このように形成されることにより、収納板２１には、ボトルの内部に相当する位置に滞留空間２１ｓが、ボトルのネック部に相当する位置に通過溝２１ｒが形成されている。また、収納板２１のＵ字の底には、揺動する際の支点となる差込ピン２６を挿通する挿通孔２１ｆが形成されている。収納板２１は、組み立てられたときにＵ字の開口が横向きとなるように配置される。なお、Ｕ字の開口は、同時引出防止部材２０が券売機１０（図３参照）に取り付けられたときに、硬貨カセット１３（図３参照）及び紙幣カセット１４（図３参照）が引き出される方向の横向きに配置される。
【００３１】
滞留空間２１ｓは、硬貨カセット１３（図３参照）及び紙幣カセット１４（図３参照）が筐体１９（図３参照）に収容された状態で、接触しない程度に近接して上下に配設されたピンＰ１とピンＰ２とを同時に収容できるように形成されている。通過溝２１ｒは滞留空間２１ｓと連通している。すなわち、滞留空間２１ｓがＵ字の開口の方向に向かって狭められて、通過溝２１ｒが形成されている。通過溝２１ｒは、ピンＰ１及びピンＰ２のうち鉛直方向の幅が大きい方のその鉛直方向の幅よりも大きく、ピンＰ１の軌道Ｒ１の上端とピンＰ１よりも下側に配設されているピンＰ２の軌道Ｒ２の下端との距離ＲＷよりも小さく、結果として遮断部材２３と協働してピンＰ１とピンＰ２とが同時に通過することができない幅を有している。滞留空間２１ｓと通過溝２１ｒとは、ピンＰ１、Ｐ２の接触による移動を円滑にするために、滑らかな曲線でつながれていることが好ましい。
【００３２】
収納板２１には、Ｕ字の開口が横向きとなるように配置したときの、通過溝２１ｒの上部に矩形の窪み２１ｈが形成されている。また、通過溝２１ｒと窪み２１ｈとの間には、遮断部材２３を取り付けるための押さえピン２７を通す挿通孔２１ｐが形成されている。また、窪み２１ｈの両脇には、遮断部材押さえ２４を固定するねじ２９を通すねじ孔２１ｂが形成されている。ねじ２９に締結されるナットを省略するために、ねじ孔２１ｂに雌ねじが形成されていてもよい。
【００３３】
収納板２１は、典型的には厚みのある鋼板で形成され、表面にイオン窒化処理が施されてチッカ層が形成されることが好ましい。イオン窒化処理は、他の熱処理に比べて比較的低温で処理するため母材の変形がほとんどなく、高硬度で耐摩耗性に優れるチッカ層を形成することができる。収納板２１にチッカ層が形成されることにより、上述のような重量を有する硬貨カセット１３（図３参照）及び紙幣カセット１４（図３参照）の筐体１９（図３参照）への出し入れに伴うピンＰ１、Ｐ２が衝突する際の衝撃に十分耐えうるようになる。
【００３４】
遮断部材２３は、おおよそ三角形の板状の部材に、以下に述べるような加工が施されて形成されている。おおよそ三角形の形状をした部材の最も長い辺に、ピンＰ１、Ｐ２の１本分が収まる窪みである凹部２３ｈが形成され、凹部２３が形成された辺に向かい合う頂部と凹部２３との間に収納板２１の挿通孔２１ｐと通ずる挿通孔２３ｐが形成され、凹部２３が形成された辺に向かい合う頂部が、中心を挿通孔２３ｐと共通にする円弧状に形成されている。また、三角状部材の最も長い辺の両端がそれぞれ外側に向かって延びており、その一端が円弧の形成された方向に角度を変えてさらに外側に延びることにより誘導端２３ｅが形成されている。誘導端２３ｅの反対側は、角度を変えずに延びた先端が尖った鋭端２３ｓが形成されている。また、円弧の部分には、ボールプランジャー２５と共に状態保持手段を構成する切り欠き２３ａ、２３ｂが形成されている。切り欠き２３ｂは誘導端２３ｅが形成されている側の辺の円弧に、切り欠き２３ａはその反対側の辺の円弧にそれぞれ形成されている。切り欠き２３ａ、２３ｂの深さは、ボールプランジャー２５のボール２５Ｂの半径よりも小さく、好適にはボール２５Ｂの半径の３分の１よりも小さい。なお状態保持手段としては、鋭端２３ｓの方が誘導端２３ｅよりも軽く、挿通孔２３ｐで支えたときに鋭端２３ｓが上がっている状態で、自重や何らかの要因で発生した振動により鋭端２３ｓが下がることがない場合は、切り欠き２３ａを形成しなくてもよい。反対に誘導端２３ｅの方が軽く、上がっている誘導端２３ｅが自重や何らかの要因で発生した振動により下がることがない場合は、切り欠き２３ｂを形成しなくてもよい。遮断部材２３も収納板２１と同様に、典型的には厚みのある鋼板で形成され、表面にイオン窒化処理が施されてチッカ層が形成されることが好ましい。
【００３５】
遮断部材押さえ２４は、おおよそＬ字型の金具の一面に遮断部材２３の挿通孔２３ｐと通ずる挿通孔２４ｐが形成され、他方の面にボールプランジャー２５を受け入れるプランジャーホール２４ｈが形成されている。プランジャーホール２４ｈには雌ねじが形成されている。プランジャーホール２４ｈが形成された面のＬ字につながる辺と反対側の端部は、中央に収納板２１の窪み２１ｈと嵌合する幅を残した両端が挿通孔２４ｐの形成された面と反対側に延びるように直角に折れ曲がって取付面２４ｆが形成さている。取付面２４ｆには、収納板２１のねじ孔２１ｂと通ずるねじ孔２４ｂが形成されている。プランジャーホール２４ｈが形成された面の、折れ曲がった面がつながる両辺の間は、遮断部材２３の厚さよりも大きくなるように形成されている。
【００３６】
ボールプランジャー２５は、中空円筒状の部材の一端が閉塞されて形成されており、円筒の外周側面に雄ねじが形成されている。中空部にはスプリング２５Ｓを介してボール２５Ｂが挿入されており、ボール２５Ｂが外側に向けて付勢されるように構成されている。
【００３７】
取付基台２２は、上述のように、ブロック部材２２Ａと板金２２Ｂとの２分割で構成されている。ブロック部材２２Ａは、ほぼ矩形の底板２２ｘと、底板２２ｘの長辺の一端から垂直に延びる支持板２２ｙとを有している。底板２２ｘの矩形の面には、券売機１０（図３参照）のフレーム１９ｆ（図３参照）に固定するための固定孔２２ｈが形成されている。支持板２２ｙには、収納板２１の挿通孔２１ｆに通ずる挿通孔２２ｇが形成されている。支持板２２ｙが延びる辺と対向する辺の部分の底板２２ｘには、支持板２２ｙと対向する位置に板金２２Ｂを嵌め込むための切り欠きが形成されており、切り欠きの厚み部分にねじ２８を通すためのねじ孔２２ｋが形成されている。ねじ孔２２ｋには雌ねじが形成されている。板金２２Ｂは板状部材であり、収納板２１の挿通孔２１ｆに通ずる挿通孔２２ｅと、ブロック部材２２Ａのねじ孔２２ｋに通じるねじ孔２２ｊとが形成されている。板金２２Ｂの挿通孔２２ｅが形成された面とねじ孔２２ｊが形成された面との間には、ブロック部材２２Ａと結合したときに支持板２２ｙとの隙間を収納板２１の厚さに近づけるための段差が形成されている。ブロック部材２２Ａ及び板金２２Ｂは、表面にイオン窒化処理が施されてチッカ層が形成されていてもよい。
【００３８】
以上のような構成の各部材を以下のように組み立てることで同時引出防止部材２０が形成される。遮断部材２３を収納板２１と遮断部材押さえ２４とで挟んで各挿通孔２１ｐ、２３ｐ、２４ｐに押さえピン２７を通し、遮断部材押さえ２４側から遮断部材押さえ２４のねじ孔２４ｂにねじ２９を通した上で収納板２１のねじ孔２１ｂに締結する。このときの遮断部材２３は、凹部２３ｈに対向する円弧状の頂部が遮断部材押さえ２４のプランジャーホール２４ｈが形成された面側にくるように、かつ、誘導端２３ｅが収納板２１のＵ字の開口側にくるように配置される。また、押さえピン２７には、ボルトやリベットを用いてもよい。次に、遮断部材２３が取り付けられた収納板２１を、窪み２１ｈが上側になるようにしてブロック部材２２Ａの底板２２ｘの上に載置する。そして板金２２Ｂをブロック部材２２Ａの切り欠きに嵌め込み、各挿通孔２２ｅ、２１ｆ、２２ｇに差込ピン２６を通し、板金２２Ｂのねじ孔２２ｊにねじ２８を通した上でブロック部材２２Ａのねじ孔２２ｋに締結する。このように構成された同時引出防止部材２０は、収納板２１が差込ピン２６を中心に揺動する。つまり、収納板２１は、ピンＰ１、Ｐ２の進行方向に対して上下に移動可能（通過溝２１ｒがピンＰ１、Ｐ２の軌跡Ｒ１、Ｒ２に追従することが可能）となっている。なお、収納板２１を直線的に上下させるような機構としてもよいが、本実施の形態では構造の単純化の観点から、差込ピン２６を中心に揺動する機構としている。また、遮断部材２３は、押さえピン２７を中心に揺動する。つまり、遮断部材２３は、収納板２１に揺動可能に取り付けられている。
【００３９】
引き続き図４及び図６を参照して、券売機１０（図１〜図３参照）に取り付けられた同時引出防止部材２０の作用を説明する。硬貨カセット１３（図３参照）及び紙幣カセット１４（図３参照）が筐体１９（図３参照）に収容された状態では、ピンＰ１及びピンＰ２が共に収納板２１の滞留空間２１ｓに収容されている。このとき、遮断部材２３は、誘導端２３ｅが下方に降り、鋭端２３ｓが上方に上がって、凹部２３ｈが形成された辺で滞留空間２１ｓを塞ぐような状態となっている。この状態を初期の状態とする。初期の状態では、遮断部材２３の切り欠き２３ａにボールプランジャー２５のボール２５Ｂが入り込んで付勢されているため、遮断部材２３の鋭端２３ｓが自重や何らかの要因で発生した振動で下がることが防止される。このことにより、初期状態からピンＰ１、Ｐ２が通過溝２１ｒの方に動いたときにピンＰ１、Ｐ２が鋭端２３ｓの上側に入り込むことを防いでいる。なお、図６では説明の便宜のために収納板２１がブロック部材２２Ａから離れているように示しているが、実際の初期状態でピンＰ１が収納板２１に接触していない状況においては、収納板２１は自重により降下してブロック部材２２Ａの底板２２ｘに接触している。
【００４０】
初期状態から、券売機１０（図１〜図３参照）の点検・保守のために硬貨カセット１３、紙幣カセット１４（図３参照）を引き出す場合は以下のように作用する。ピンＰ１が設けられた硬貨カセット１３（図３参照）を引き出す場合、硬貨カセット１３を係員操作面１０Ｂ（図３参照）の方に水平に動かすにつれて、ピンＰ１が通過溝２１ｒに向かって動く。このときピンＰ１の軌道Ｒ１の高さは変わらず、収納板２１の内側の輪郭がピンＰ１に接触してから、滞留空間２１ｓと通過溝２１ｒをつなぐ曲線がピンＰ１の上端に沿うように、収納板２１が差込ピン２６を中心に移動する。
【００４１】
ピンＰ１は、通過溝２１ｒに近づいていくと遮断部材２３の凹部２３ｈに当たり、その後遮断部材２３が押さえピン２７を中心に鋭端２３ｓが下方に、誘導端２３ｅが上方に移動するように動く。このように遮断部材２３が動くことにより、ボール２５Ｂは切り欠き２３ａから外れ、相対的に円弧に沿って動く。切り欠き２３ａの深さはボール２５Ｂの半径よりも小さいので、ピンＰ１が凹部２３ｈから遮断部材２３を押す力でボール２５Ｂが切り欠き２３ａから外れる。ピンＰ１は、通過溝２１ｒを通過する際、遮断部材２３の凹部２３ｈに収容されながら移動する。ピンＰ１が通過溝２１ｒを通過すると、遮断部材２３は、誘導端２３ｅが上方に上がり、鋭端２３ｓが下方に降りて、鋭端２３ｓから切り欠き２３ａに至る辺で滞留空間２１ｓを塞ぐような状態となる。この状態を引出状態とする。
【００４２】
図７に引出状態の同時引出防止部材２０を示す。引出状態では、遮断部材２３の切り欠き２３ｂにボールプランジャー２５のボール２５Ｂが入り込んで付勢されているため、遮断部材２３の誘導端２３ｅが自重や何らかの要因で発生した振動で下がることが防止される。このことにより、引出状態から滞留空間２１ｓに残ったピンＰ２が通過溝２１ｒに到達することを防いで紙幣カセット１４（図３参照）が引き出されることを防いでいると共に、通過溝２１ｒから出たピンＰ１が誘導端２３ｅの上方に入り込むことにより滞留空間２１ｓに戻れなくなることを防いでいる。なお、図７に示す引出状態においても、説明の便宜のために収納板２１がブロック部材２２Ａから離れているように示しているが、実際の引出状態でピンＰ１が収納板２１に接触していない状況においては、収納板２１は自重により降下してブロック部材２２Ａの底板２２ｘに接触している。
【００４３】
ピンＰ１が滞留空間２１ｓに戻るときは、ピンＰ１は収納板２１のＵ字状の広がった開口部から通過溝２１ｒに向かって誘導される。このとき遮断部材２３は、誘導端２３ｅが上がった状態で維持されているので、ピンＰ１が誘導端２３ｅの下方に入り込む。ピンＰ１は、通過溝２１ｒに至ると遮断部材２３の凹部２３ｈに当たり、その後遮断部材２３が押さえピン２７を中心に誘導端２３ｅが下方に、鋭端２３ｓが上方に移動するように動く。このとき、ボール２５Ｂは切り欠き２３ｂから外れ、相対的に円弧に沿って動く。ピンＰ１は、通過溝２１ｒを通過する際、遮断部材２３の凹部２３ｈに収容されながら移動する。ピンＰ１が通過溝２１ｒを通過すると、遮断部材２３は、鋭端２３ｓが上方に上がり、誘導端２３ｅが下方に降りて、凹部２３ｈが形成された辺で滞留空間２１ｓを塞ぐ初期の状態に戻る。このように、ピンＰ１が滞留空間２１ｓから外に出るのを可能にしつつ残ったピンＰ２が外に出るのを不可能にすることで、２つのカセット１３、１４（図３参照）が同時に引き出されることを防いでいる。逆に、同じような要領で、ピンＰ２が滞留空間２１ｓから外に出るのを可能にしつつ残ったピンＰ１が外に出るのを不可能にすることができることはいうまでもない。
【００４４】
なお、２つのカセット１３、１４（図３参照）を同時に引き出そうとしても、通過溝２１ｒの幅が１本のピンしか通すことができないので、２本のピンＰ１、Ｐ２が同時に通過溝２１ｒを通過することがなく、同時に引き出すことができない。また、２本のピンＰ１、Ｐ２を平面上で少しずらして通過溝２１ｒを通過させようとしても、遮断部材２３の凹部２３ｈが１本のピンしか収容することができない深さなので、先行のピンが凹部２３ｈに収容されて水平移動することにより遮断部材２３が押さえピン２７を中心に移動させられると、後のピンが鋭端２３ｓと収納板２１とに挟まれて通過溝２１ｒに進入することができず、同時に引き出すことができない。このように、本実施の形態に係る同時引出防止部材２０によれば、２つのカセット１３、１４（図３参照）が同時に引き出されることが確実に防止される。
【００４５】
以上の説明では、同時引出防止部材２０が硬貨カセット１３と紙幣カセットとの間に設置されているとして説明したが（図２参照）、この他に例えば図２に示す配置においては、紙幣カセット１４とカード処理装置１５との間、紙幣カセット１４と発券装置１６との間、カード処理装置１５と発券装置１６との間に、同時引出防止部材２０を設置してもよい。この場合は、カード処理装置１５、発券装置１６の適切な位置にピンを設ける。また、同時引出防止部材２０をカード処理装置１５と発券装置１６との間に設置する場合は、上下方向に延びるピンを滞留空間２１ｓが収容する向きに設置することとなるが、このような向きに設置する同時引出防止部材２０には、ピンが収納板２１を動かしていない状態において、収納板２１とブロック部材２２Ａの底板２２ｘとの接触を維持するような、ばね等を設けるとよい。
【００４６】
以上の説明では、券売機１０が鉄道の乗車券を自動で販売する機器であるとして説明したが、食券等を自動で発券する券売機等でもよい。また、貨幣処理装置としては、券売機以外に、現金を両替する両替機、あるいは金融機関における貨幣の入出金を行う自動入出金装置等であってもよい。本発明に係る貨幣処理装置は、上述のように比較的大きな重量のカセットが２台同時に引き出されることを防止するものであるという趣旨に鑑み、カセットに収容される内容物が通貨以外のメダル等であるもの、あるいはカセット自体が各種の処理機構を搭載したカードの処理や発行を行うカード処理機も含むものである。
【図面の簡単な説明】
【００４７】
【図１】本発明の実施の形態に係る券売機の正面図である。
【図２】本発明の実施の形態に係る券売機の背面図である。
【図３】本発明の実施の形態に係る券売機の右側面図である。
【図４】本発明の実施の形態に係る同時引出防止部材の分解斜視図である。
【図５】本発明の実施の形態に係る同時引出防止部材の斜視図である。
【図６】本発明の実施の形態に係る同時引出防止部材の側面図である。
【図７】遮断部材が引出状態にあるときの同時引出防止部材の側面図である。
【図８】従来の引出防止金具の側面図である。
【符号の説明】
【００４８】
１０  券売機（貨幣処理装置）
１３  硬貨処理装置（硬貨カセット）（第１のカセット）
１４  紙幣処理装置（紙幣カセット）（第２のカセット）
２０  同時引出防止部材（カセット移動制限部材）
２１  収納板（収容部材）
２１ｒ  通過溝
２１ｓ  滞留空間
２３  遮断部材
２３ａ、２３ｂ  切り欠き（状態保持手段）
２３ｈ  凹部
２５  ボールプランジャー（状態保持手段）
Ｐ１  ピン（第１の突起）
Ｐ２  ピン（第２の突起）
Ｒ１、Ｒ２  軌道
【図１】
2007219616.tif 000003
【図２】
2007219616.tif 000004
【図３】
2007219616.tif 000005
【図４】
2007219616.tif 000006
【図５】
2007219616.tif 000007
【図６】
2007219616.tif 000008
【図７】
2007219616.tif 000009
【図８】
2007219616.tif 000010